(57)【要約】      （修正有）【課題】設計変更が容易で組立の簡単な組み立て式仮想現実視聴用ゴーグル及び仮想現実視聴用ゴーグルキットを提供する【解決手段】組み立て式仮想現実視聴用ゴーグル１００は、重ならずに平面状に１枚のシート状に連続的に広がった展開状態と、立体的に組み立てられた組み立て状態とに変形可能であり、２つの第１のぞき穴１３４を含む第１前壁１１０と、後壁１２１と、前縁部と後縁部とを含む第１中壁１１２−１と第２中壁１１２−２とを備える。組み立て状態において、後壁１２１が、第１前壁１１０から離間して第１前壁１１０に対向し、第１中壁１１２−１と第２中壁１１２−２が、第１前壁１１０から後壁１２１に向かって延び、中壁１１２の前縁部が、第１前壁１１０に接触可能な位置にあり、第１中壁１１２−１と第２中壁１１２−２の後縁部が、像表示装置を保持するのに適した隙間を隔てて後壁１２１から離間する。【選択図】図７
2020184709.tif 000002
【特許請求の範囲】
【請求項１】
組み立て式仮想現実視聴用ゴーグルであって、
前記組み立て式仮想現実視聴用ゴーグルが、重ならずに平面状に１枚のシート状に連続的に広がった展開状態と、立体的に組み立てられた組み立て状態とに変形可能であり、
前記組み立て式仮想現実視聴用ゴーグルが、
第１のぞき穴を含む第１前壁と、
後壁と、
前縁部と後縁部とを含む中壁と、
を備え、
前記組み立て状態において、
前記後壁が、前記第１前壁から離間して前記第１前壁に対向し、
前記中壁が、前記第１前壁と前記後壁との間に位置し、前記第１前壁又は上壁に接触可能な位置にあり、
前記中壁の前記後縁部が、像表示装置を保持するのに適した隙間を隔てて前記後壁から離間した、
組み立て式仮想現実視聴用ゴーグル。
【請求項２】
前記組み立て式仮想現実視聴用ゴーグルが、
前記前縁部と前記後縁部と横縁部とを含む支持壁をさらに備え、
前記支持壁の前記横縁部が、前記支持壁の前記前縁部と前記支持壁の前記後縁部との間に延びており、
前記展開状態において、
前記第１前壁と前記支持壁とが、前記支持壁の前記前縁部において屈曲可能に結合しており、
前記支持壁と前記中壁とが、前記支持壁の前記横縁部において屈曲可能に結合しており、
前記組み立て状態において、
前記支持壁が、前記第１前壁と前記中壁との両方に傾斜し、
前記支持壁が、前記第１前壁から前記後壁に向かって延び、
前記支持壁の前記後縁部が、隙間を隔てて前記後壁から離間した、
請求項１に記載の組み立て式仮想現実視聴用ゴーグル。
【請求項３】
前記組み立て式仮想現実視聴用ゴーグルが、
第２のぞき穴を含む第２前壁をさらに備え、
前記展開状態において、
前記第１前壁と前記第２前壁とが、屈曲可能な境界を介して結合しており、
前記組み立て状態において、
前記第１前壁が、前記第２前壁と前記後壁との間において、前記第２前壁に重なるように折り畳まれた位置にあり、
２つの前記第１のぞき穴及び前記第２のぞき穴がそれぞれ形成されており、一方の前記第１のぞき穴が、一方の前記第２のぞき穴に重なり、
他方の前記第１のぞき穴が、他方の前記第２のぞき穴に重なり、
前記第１前壁が、前記第２前壁と前記中壁との間に位置する、
請求項１又は請求項２に記載の組み立て式仮想現実視聴用ゴーグル。
【請求項４】
前記組み立て式仮想現実視聴用ゴーグルが、
前記中壁である第１中壁と、
前記中壁である第２中壁と、
を備え、
前記組み立て式仮想現実視聴用ゴーグルが、
２つの第２のぞき穴を含む第２前壁と、
第１上壁及び第２上壁とを有する前記上壁と、
第１横壁と、
第２横壁と、
第１下壁と、
をさらに備え、
互いに直交するｘ方向とｙ方向との両方に平行な１つの平面に沿って広がった前記展開状態において、
前記支持壁が、屈曲可能な境界を介して前記第１前壁からｙ方向の正方向であるｙ１方向に連続して広がり、
前記第１中壁が、屈曲可能な境界を介して前記支持壁からｘ方向の正方向であるｘ１方向に連続して広がり、
前記第２中壁が、屈曲可能な境界を介して前記支持壁からｘ方向の負方向であるｘ２方向に連続して広がり、
前記第２前壁が、屈曲可能な境界を介して前記第１前壁からｘ１方向に連続して広がり、
前記第１上壁が、屈曲可能な境界を介して前記第２前壁からｙ１方向に連続して広がり、
前記第２上壁が、屈曲可能な境界を介して前記第１上壁からｙ１方向に連続して広がり、
前記第１横壁が、屈曲可能な境界を介して前記第２上壁からｘ２方向に連続して広がり、
前記第２横壁が、屈曲可能な境界を介して前記第２上壁からｘ１方向に連続して広がり、
前記後壁が、屈曲可能な境界を介して前記第２横壁からｙ方向の負方向であるｙ２方向に連続して広がり、
前記第１下壁が、屈曲可能な境界を介して前記後壁からｘ１方向に連続して広がり、
互いに直交するＡ方向とＢ方向とＣ方向とにより規定される空間に組み立てられた前記組み立て状態において、
前記第１横壁と前記第２横壁とが、Ａ方向に離間して対向し、
前記第２上壁と前記第１下壁とが、Ｂ方向に離間して対向し、
前記第１上壁が、前記第２上壁と前記第１下壁との間において、前記第２上壁に重なるように折り畳まれた位置にあり、
前記第２前壁と前記後壁とが、Ｃ方向に離間して対向し、
前記第１前壁が、前記第２前壁と前記後壁との間において、前記第２前壁に重なるように折り畳まれた位置にあり、
一方の前記第１のぞき穴が、一方の前記第２のぞき穴に重なり、
他方の前記第１のぞき穴が、他方の前記第２のぞき穴に重なり、
前記第１中壁と前記第２中壁とがＡ方向に離間して対向し、
前記第１中壁が、前記支持壁と前記第１前壁との両方に傾斜して広がり、
前記第１中壁の前記前縁部が、前記第１前壁に接触可能な位置にあり、
前記第１中壁の前記後縁部が、前記像表示装置を保持するのに適した隙間を隔てて前記後壁から離間し、
前記第２中壁が、前記支持壁と前記第１前壁との両方に傾斜して広がり、
前記第２中壁の前記前縁部が、前記第１前壁に接触可能な位置にあり、
前記第２中壁の前記後縁部が、前記像表示装置を保持するのに適した隙間を隔てて前記後壁から離間し、
前記組み立て状態において、
Ａ方向において前記第１横壁と前記第２横壁との間に位置する内部空間が規定され、
前記内部空間が、Ｂ方向において前記第１上壁と前記第１下壁との間に位置し、
前記内部空間が、Ｃ方向において前記第１前壁と前記後壁との間に位置し、
前記第１中壁と前記第２中壁と前記支持壁とが、前記内部空間内に位置し、
前記内部空間のうち、前記第１横壁と前記第１中壁との間の領域に、前記一方の前記第１のぞき穴と前記一方の前記第２のぞき穴とが連通し、
前記内部空間のうち、前記第２横壁と前記第２中壁との間の領域に、前記他方の前記第１のぞき穴と前記他方の前記第２のぞき穴とが連通する、
請求項２に記載の組み立て式仮想現実視聴用ゴーグル。
【請求項５】
前記第１横壁が、第１横突出部を含み、
前記第２横壁が、第２横突出部を含み、
前記第２上壁が、頭受容部をもつ上突出部を含み、
前記第１前壁が、第１前鼻受容部を含み、
前記第２前壁が、第２前鼻受容部を含み、
前記第１下壁が、下鼻受容部を含み、
前記組み立て状態において、
前記第１横突出部が、前記後壁から前記第２前壁に向かう方向において前記第２前壁を越えて突出し、
前記第１横突出部の突出量が、前記第２上壁から前記第１下壁に向けて小さくなり、
前記第２横突出部が、前記後壁から前記第２前壁に向かう方向において前記第２前壁を越えて突出し、
前記第２横突出部の突出量が、前記第２上壁から前記第１下壁に向けて小さくなり、
前記上突出部が、前記後壁から前記第２前壁に向かう方向において前記第２前壁を越えて突出し、
前記頭受容部が、前記第２上壁に沿って前記第２前壁から前記後壁に向かう方向に窪み、
前記第１前鼻受容部が、前記第１前壁に沿って前記第１下壁から前記第１上壁に向かう方向に窪み、
前記第２前鼻受容部が、前記第２前壁に沿って前記第１下壁から前記第１上壁に向かう方向に窪み、
前記下鼻受容部が、前記第１下壁に沿って前記第２前壁から前記後壁に向かう方向に窪み、
前記第１前鼻受容部と前記第２前鼻受容部と前記下鼻受容部とが連続した穴を規定する、
請求項４に記載の組み立て式仮想現実視聴用ゴーグル。
【請求項６】
前記組み立て式仮想現実視聴用ゴーグルが、
第３横壁と、
第２下壁と、
第１横補助壁と、
第２横補助壁と、
第１横片と、
第２横片と、
第３横片と、
下片と、
を備え、
前記展開状態において、
前記第２下壁が、屈曲可能な境界を介して前記第２前壁からｙ２方向に連続して広がり、
前記第３横壁が、屈曲可能な境界を介して前記後壁からｙ２方向に連続して広がり、
前記第１横補助壁が、屈曲可能な境界を介して前記第１下壁からｙ２方向に連続して広がり、
前記第２横補助壁が、屈曲可能な境界を介して前記第１下壁からｙ１方向に連続して広がり、
前記第１横片が、屈曲可能な境界を介して前記第１横壁からｘ２方向に連続して広がり、
前記第２横片が、屈曲可能な境界を介して前記第２横壁からｘ１方向に連続して広がり、
前記第３横片が、屈曲可能な境界を介して前記第３横壁からｙ２方向に連続して広がり、
前記下片が、屈曲可能な境界を介して前記第１下壁からｘ１方向に連続して広がり、
前記第１横補助壁が、前記第１横片を固定するための貫通した第１横孔をもち、
前記第２横補助壁が、前記第２横片を固定するための貫通した第２横孔をもち、
前記第１横壁が、前記第３横片を固定するための貫通した第３横孔をもち、
前記第２下壁が、前記下片を固定するための貫通した下孔をもち、
各前記中壁が、ｙ２方向に突出した前突起をもち、
前記第１前壁が、前記前突起を固定するための貫通した２つの第１前孔をもち、
前記第２前壁が、前記前突起を固定するための貫通した２つの第２前孔をもち、
前記組み立て状態において、
前記第２下壁が、前記第１上壁と前記第１下壁との間において前記第１下壁に重なり、
前記第１横補助壁が、Ａ方向において前記第１横壁に重なり、
前記第１横片が、前記第１横孔に挿入された状態にあり、
前記第２横補助壁が、Ａ方向において前記第２横壁に重なり、
前記第２横片が、前記第２横孔に挿入された状態にあり、
前記第３横壁が、Ａ方向において前記第１横壁に重なり、
前記第３横片が、前記第３横孔に挿入された状態にあり
前記下片が、前記下孔に挿入された状態にあり、
前記第１中壁の前記前突起が、一方の前記第１前孔と一方の前記第２前孔とに挿入された状態にあり、
前記第２中壁の前記前突起が、他方の前記第１前孔と他方の前記第２前孔とに挿入された状態にある、
請求項５に記載の組み立て式仮想現実視聴用ゴーグル。
【請求項７】
請求項３から請求項６のいずれか一項に記載の前記組み立て式仮想現実視聴用ゴーグルと、
前記第１のぞき穴と前記第２のぞき穴との間に保持されるためのレンズと、
を備える、仮想現実視聴用ゴーグルキット。
【発明の詳細な説明】
【技術分野】
【０００１】
本発明は、組み立て式仮想現実視聴用ゴーグル及び仮想現実視聴用ゴーグルキットに関するものである。
【背景技術】
【０００２】
従来、様々な仮想現実視聴用ゴーグル（以下、ゴーグル）が存在する。ゴーグルとしては、特許文献１に記載のように内蔵されたディスプレイに像を表示するものや、外部から挿入したスマートフォンやディスプレイなどの像表示装置に像を表示するものがある。従来のゴーグルは樹脂などの硬質の材料を使用し、立体的に成型された複数の部品を組み合わせて製造される。
【先行技術文献】
【特許文献】
【０００３】
【特許文献１】特表２０１８−５１４０１７
【発明の概要】
【発明が解決しようとする課題】
【０００４】
しかしながら、立体的に成型したゴーグルの場合、製造工程が複雑なため設計変更が容易ではない。色を付けるためには、材料を成型する段階で色を付ける必要がある。又は、３次元の物体を印刷するための装置が必要となる。そこで、紙などのシート材を使用することが考えられるが、分離した複数の部品を組み合わせる場合には、部品の紛失や組立の複雑さを招く。また、シート材であることにより外から挿入した像表示装置の位置の不安定さを招く。
【０００５】
本発明はかかる事情に鑑みてなされたものであり、その目的は、設計変更が容易で組立の簡単な組み立て式仮想現実視聴用ゴーグル及び仮想現実視聴用ゴーグルキットを提供することにある。
【課題を解決するための手段】
【０００６】
第１の態様の組み立て式仮想現実視聴用ゴーグルは、重ならずに平面状に１枚のシート状に連続的に広がった展開状態と、立体的に組み立てられた組み立て状態とに変形可能であり、第１のぞき穴を含む第１前壁と、後壁と、前縁部と後縁部とを含む中壁とを備え、組み立て状態において、後壁が、第１前壁から離間して第１前壁に対向し、前記中壁が、前記第１前壁と前記後壁との間に位置し、前記第１前壁又は上壁に接触可能な位置にあり、中壁の後縁部が、像表示装置を保持するのに適した隙間を隔てて後壁から離間する。
【０００７】
本態様によれば、１枚のシート状になる展開状態をとるので、シート材を切り取るだけで容易に製造することができる。また、展開状態においてシート材用の印刷装置で印刷することができるため、立体の状態で製造する場合に比べて設計変更が容易で組立が簡単である。
【０００８】
本態様によれば、中壁により、像表示装置と第１のぞき穴との距離を一定以上に隔てることができる。さらに、像表示装置が目に向かって移動することを中壁により容易に防ぐことができる。また、使用者が後壁と第１前壁とを近づけるように力を加えて持つことにより、像表示装置を後壁と中壁との間に挟んで固定することができる。
【０００９】
第２の態様の組み立て式仮想現実視聴用ゴーグルは、前縁部と後縁部と横縁部とを含む支持壁をさらに備え、支持壁の横縁部が、支持壁の前縁部と支持壁の後縁部との間に延びており、展開状態において、第１前壁と支持壁とが、支持壁の前縁部において屈曲可能に結合しており、支持壁と中壁とが、支持壁の横縁部において屈曲可能に結合しており、組み立て状態において、支持壁が、第１前壁と中壁との両方に傾斜し、支持壁が、第１前壁から後壁に向かって延び、支持壁の後縁部が、隙間を隔てて後壁から離間している。
【００１０】
本態様によれば、支持壁が第１前壁と中壁との両方に傾斜しているので、中壁単体の場合より安定して像表示装置を固定することができる。第１前壁と支持壁とが直接結合し、支持壁と中壁とが直接結合しているので、分離したものを組み立てる場合に比べて第１前壁と支持壁と中壁とがずれにくく、結果として安定して像表示装置を固定することができる。
【００１１】
第３の態様の組み立て式仮想現実視聴用ゴーグルは、第２のぞき穴を含む第２前壁をさらに備え、展開状態において、第１前壁と第２前壁とが、屈曲可能な境界を介して結合しており、組み立て状態において、第１前壁が、第２前壁と後壁との間において、第２前壁に重なるように折り畳まれた位置にあり、２つの前記第１のぞき穴及び前記第２のぞき穴がそれぞれ形成されており、一方の第１のぞき穴が、一方の第２のぞき穴に重なり、他方の第１のぞき穴が、他方の第２のぞき穴に重なり、第１前壁が、第２前壁と中壁との間に位置する。
【００１２】
本態様によれば、組み立て状態において第１のぞき穴と第２のぞき穴とが重なるように第１前壁と第２前壁とが折り畳まれた状態をとるので、第１前壁と第２前壁との間で第１のぞき穴及び第２のぞき穴の位置にレンズを収容したときに、レンズの位置を安定させることができる。また、第１前壁と第２前壁とが屈曲可能に結合しているので、分離したものを組み立てる場合に比べて第１のぞき穴と第２のぞき穴との位置がずれにくい。また、第１前壁が第２前壁と中壁との間に位置するので、使用者が後壁と第１前壁とを近づけるように力を加えて持つことにより、第１前壁と第２前壁との間に保持されたレンズがずれにくくなる。
【００１３】
第４の態様の組み立て式仮想現実視聴用ゴーグルは、中壁である第１中壁と、中壁である第２中壁とを備え、２つの第２のぞき穴を含む第２前壁と、第１上壁及び第２上壁とを有する前記上壁と、第１横壁と、第２横壁と、第１下壁と、をさらに備え、互いに直交するｘ方向とｙ方向との両方に平行な１つの平面に沿って広がった展開状態において、支持壁が、屈曲可能な境界を介して第１前壁からｙ方向の正方向であるｙ１方向に連続して広がり、第１中壁が、屈曲可能な境界を介して支持壁からｘ方向の正方向であるｘ１方向に連続して広がり、第２中壁が、屈曲可能な境界を介して支持壁からｘ方向の負方向であるｘ２方向に連続して広がり、第２前壁が、屈曲可能な境界を介して第１前壁からｘ１方向に連続して広がり、第１上壁が、屈曲可能な境界を介して第２前壁からｙ１方向に連続して広がり、第２上壁が、屈曲可能な境界を介して第１上壁からｙ１方向に連続して広がり、第１横壁が、屈曲可能な境界を介して第２上壁からｘ２方向に連続して広がり、第２横壁が、屈曲可能な境界を介して第２上壁からｘ１方向に連続して広がり、後壁が、屈曲可能な境界を介して第２横壁からｙ方向の負方向であるｙ２方向に連続して広がり、第１下壁が、屈曲可能な境界を介して後壁からｘ１方向に連続して広がり、互いに直交するＡ方向とＢ方向とＣ方向とにより規定される空間に組み立てられた組み立て状態において、第１横壁と第２横壁とが、Ａ方向に離間して対向し、第２上壁と第１下壁とが、Ｂ方向に離間して対向し、第１上壁が、第２上壁と第１下壁との間において、第２上壁に重なるように折り畳まれた位置にあり、第２前壁と後壁とが、Ｃ方向に離間して対向し、第１前壁が、第２前壁と後壁との間において、第２前壁に重なるように折り畳まれた位置にあり、一方の第１のぞき穴が、一方の第２のぞき穴に重なり、他方の第１のぞき穴が、他方の第２のぞき穴に重なり、第１中壁と第２中壁とがＡ方向に離間して対向し、第１中壁が、支持壁と第１前壁との両方に傾斜して広がり、第１中壁の前縁部が、第１前壁に接触可能な位置にあり、第１中壁の後縁部が、像表示装置を保持するのに適した隙間を隔てて後壁から離間し、第２中壁が、支持壁と第１前壁との両方に傾斜して広がり、第２中壁の前縁部が、第１前壁に接触可能な位置にあり、第２中壁の後縁部が、像表示装置を保持するのに適した隙間を隔てて後壁から離間し、組み立て状態において、Ａ方向において第１横壁と第２横壁との間に位置する内部空間が規定され、内部空間が、Ｂ方向において第１上壁と第１下壁との間に位置し、内部空間が、Ｃ方向において第１前壁と後壁との間に位置し、第１中壁と第２中壁と支持壁とが、内部空間内に位置し、内部空間のうち、第１横壁と第１中壁との間の領域に、一方の第１のぞき穴と一方の第２のぞき穴とが連通し、内部空間のうち、第２横壁と第２中壁との間の領域に、他方の第１のぞき穴と他方の第２のぞき穴とが連通する。
【００１４】
本態様によれば、中壁により内部空間が区切られるので、中壁が無い場合に比べて左右の目に異なる像を提供しやすい。中壁が、第１のぞき穴及び第２のぞき穴から像表示装置までの距離の安定化と、像表示装置の位置の安定化と、内部空間の区画とを含む複数の効果をもたらすので、別々の構成要素を用意する場合に比べて構成が簡単となる。
【００１５】
第５の態様の組み立て式仮想現実視聴用ゴーグルは、第１横壁が、第１横突出部を含み、第２横壁が、第２横突出部を含み、第２上壁が、頭受容部をもつ上突出部を含み、第１前壁が、第１前鼻受容部を含み、第２前壁が、第２前鼻受容部を含み、第１下壁が、下鼻受容部を含み、組み立て状態において、第１横突出部が、後壁から第２前壁に向かう方向において第２前壁を越えて突出し、第１横突出部の突出量が、第２上壁から第１下壁に向けて小さくなり、第２横突出部が、後壁から第２前壁に向かう方向において第２前壁を越えて突出し、第２横突出部の突出量が、第２上壁から第１下壁に向けて小さくなり、上突出部が、後壁から第２前壁に向かう方向において第２前壁を越えて突出し、頭受容部が、第２上壁に沿って第２前壁から後壁に向かう方向に窪み、第１前鼻受容部が、第１前壁に沿って第１下壁から第１上壁に向かう方向に窪み、第２前鼻受容部が、第２前壁に沿って第１下壁から第１上壁に向かう方向に窪み、下鼻受容部が、第１下壁に沿って第２前壁から後壁に向かう方向に窪み、第１前鼻受容部と第２前鼻受容部と下鼻受容部とが連続した穴を規定する。
【００１６】
本態様によれば、第１横突出部と第２横突出部と上突出部とを含むので、外部から第２のぞき穴付近に来る光を減らして像を視認し易くすることができる。また、頭受容部と第１前鼻受容部と第２前鼻受容部と下鼻受容部とを含むので、目を第２のぞき穴に近づけやすい。また、第１横突出部と第２横突出部との突出量が、第２上壁から第１下壁に向けて小さくなるので、使用者が第１下壁付近で組み立て式仮想現実視聴用ゴーグルを手で持ちやすい。
【００１７】
第６の態様の組み立て式仮想現実視聴用ゴーグルは、第３横壁と、第２下壁と、第１横補助壁と、第２横補助壁と、第１横片と、第２横片と、第３横片と、下片と、を備え、展開状態において、第２下壁が、屈曲可能な境界を介して第２前壁からｙ２方向に連続して広がり、第３横壁が、屈曲可能な境界を介して後壁からｙ２方向に連続して広がり、第１横補助壁が、屈曲可能な境界を介して第１下壁からｙ２方向に連続して広がり、第２横補助壁が、屈曲可能な境界を介して第１下壁からｙ１方向に連続して広がり、第１横片が、屈曲可能な境界を介して第１横壁からｘ２方向に連続して広がり、第２横片が、屈曲可能な境界を介して第２横壁からｘ１方向に連続して広がり、第３横片が、屈曲可能な境界を介して第３横壁からｙ２方向に連続して広がり、下片が、屈曲可能な境界を介して第１下壁からｘ１方向に連続して広がり、第１横補助壁が、第１横片を固定するための貫通した第１横孔をもち、第２横補助壁が、第２横片を固定するための貫通した第２横孔をもち、第１横壁が、第３横片を固定するための貫通した第３横孔をもち、第２下壁が、下片を固定するための貫通した下孔をもち、各中壁が、ｙ２方向に突出した前突起をもち、第１前壁が、前突起を固定するための貫通した２つの第１前孔をもち、第２前壁が、前突起を固定するための貫通した２つの第２前孔をもち、組み立て状態において、第２下壁が、第１上壁と第１下壁との間において第１下壁に重なり、第１横補助壁が、Ａ方向において第１横壁に重なり、第１横片が、第１横孔に挿入された状態にあり、第２横補助壁が、Ａ方向において第２横壁に重なり、第２横片が、第２横孔に挿入された状態にあり、第３横壁が、Ａ方向において第１横壁に重なり、第３横片が、第３横孔に挿入された状態にあり下片が、下孔に挿入された状態にあり、第１中壁の前突起が、一方の第１前孔と一方の第２前孔とに挿入された状態にあり、第２中壁の前突起が、他方の第１前孔と他方の第２前孔とに挿入された状態にある。
【００１８】
本態様によれば、第１横片と第２横片と第３横片と下片と前突起とが固定されるので、全体の形状を安定させることができ、また、展開状態と組み立て状態とを容易に遷移することができる。
【００１９】
第７の態様の仮想現実視聴用ゴーグルキットは、上記のいずれかの組み立て式仮想現実視聴用ゴーグルと、第１のぞき穴と第２のぞき穴との間に保持されるためのレンズと、を備える。
【００２０】
本態様によれば、レンズを使用することで、より多様な仮想現実の像を使用者に提供することができる。
【発明の効果】
【００２１】
本発明によれば、設計変更が容易で組立の簡単な組み立て式仮想現実視聴用ゴーグル及び仮想現実視聴用ゴーグルキットを提供することができる。
【図面の簡単な説明】
【００２２】
【図１】本発明の第１実施形態のゴーグルの正面図である。
【図２】図１のゴーグルの平面図である。
【図３】図１のゴーグルの底面図である。
【図４】図１のゴーグルの背面図である。
【図５】図１のゴーグルの左側面図である。
【図６】図１のゴーグルと像表示装置との右側面図である。
【図７】展開状態における図１のゴーグルの平面図である。
【図８】展開状態における図１のゴーグルの部分平面図である。
【図９】図１のゴーグルのうち第１前壁と第２前壁と支持壁と第１中壁と第２中壁とを示す部分底面図である。
【図１０】図９と同じ構成要素を示す部分背面図である。
【図１１】図１のゴーグルのうち第１前壁と第２前壁と第２中壁と第１上壁と第２上壁とを示す部分右側面図である。
【図１２】図１１に示す構成要素に加えて支持壁と第１中壁とをさらに示す部分底面図である。
【図１３】図１０に示す構成要素に加えて第１上壁と第２上壁と第１横壁と第２横壁とをさらに示す部分背面図である。
【図１４】図１３と同じ構成要素を示す部分底面図である。
【図１５】図１４に示す構成要素に加えて後壁と第３横壁と第３横片とをさらに含む部分底面図である。
【図１６】図１のゴーグルのうち第２横壁を省略した部分右側面図である。
【図１７】図１のゴーグルのうち第１前壁と第２前壁とを省略した部分正面図である。
【図１８】第２実施形態の仮想現実視聴用ゴーグルキットの正面図である。
【図１９】図１９は、第３実施形態の仮想現実視聴用ゴーグルキット３８０（以下、キットと呼ぶ）の展開図である。
【発明を実施するための形態】
【００２３】
＜第１実施形態＞
（全体の概要）
以下、本発明の実施形態に係る組み立て式仮想現実視聴用ゴーグル（以下、ゴーグル）について説明する。図１〜図６は、立体的に組み立てられた組み立て状態における本発明の第１実施形態のゴーグル１００を示す。図１はゴーグル１００の正面図である。図２はゴーグル１００の平面図である。図３はゴーグル１００の底面図である。図４はゴーグル１００の背面図である。図５はゴーグル１００の左側面図である。図６はゴーグル１００と像表示装置１０１との右側面図である。
【００２４】
図６に示すように、挿入口１７０からゴーグル１００内にスマートフォンやディスプレイなどの像表示装置１０１が挿入可能である。使用者は、ゴーグル１００内の像表示装置１０１に仮想現実を描画した静止画又は動画といった像を表示しながら、図１に示す重なり合う第１のぞき穴１３４及び第２のぞき穴１４７から像を視ることで、仮想現実を体験する。
【００２５】
図７は、重ならずに平面状に１枚のシート状に連続的に広がった展開状態におけるゴーグル１００の平面図である。ゴーグル１００は、展開状態（図７）と組み立て状態（図１）との間で変形可能である。ゴーグル１００は、薄いシート材を切ることにより製造される。ゴーグル１００の材料は、例えば、紙、樹脂、金属である。例えばゴーグル１００が紙製であれば、展開状態（図７）にあるときに、二次元の紙用の印刷装置を使用してゴーグル１００の外観の図柄を印刷することができる。ゴーグル１００がシート材から作られるので、設計変更にも簡単に対応することができる。展開状態のゴーグル１００は持ち運びが楽である。
【００２６】
本明細書において、展開状態を説明するために互いに直交するｘ方向、ｙ方向、及びｚ方向を規定する。ｘ方向は、互いに逆を向く正のｘ１方向と負のｘ２方向とを区別せずに表す。ｙ方向は互いに逆を向く正のｙ１方向と負のｙ２方向とを区別せずに表す。ｚ方向は互いに逆を向く正のｚ１方向と負のｚ２方向とを区別せずに表す。また、組み立て方法及び組み立て状態を説明するために互いに直交するＡ方向、Ｂ方向、及びＣ方向を規定する。Ａ方向は、互いに逆を向く正のＡ２方向と負のＡ１方向とを区別せずに表す。Ｂ方向は互いに逆を向く正のＢ１方向と負のＢ２方向とを区別せずに表す。Ｃ方向は互いに逆を向く正のＣ２方向と負のＣ１方向とを区別せずに表す。
【００２７】
これらの方向及び上下左右の表現は、相対的な位置関係を説明するために便宜上規定するのであって、実際の使用時の方向を限定するわけではない。構成要素の形状は、本明細書で開示された実施形態の技術思想が実現される限り、記載された表現に基づく厳密な幾何学的な形状に限定されない。例えば本実施形態とは鏡面対称のゴーグルも可能である。
【００２８】
類似した構成要素を区別するために、構成要素名の頭に序数を付け、符号の末尾にハイフンと序数に対応した数値が記載されている場合がある。この類似した構成要素について、例えば、「第１構成要素２−１」〜「第Ｎ構成要素２−Ｎ」を区別せずに「構成要素２」と呼ぶ場合がある。
【００２９】
（展開状態）
図７に示すように、ゴーグル１００は、屈曲可能な境界（破線で示す）を介して互いに結合した複数の構成要素を含む。ゴーグル１００は展開状態において、互いに直交するｘ方向とｙ方向との両方に平行な１つの平面に沿って広がる。
【００３０】
まず、ゴーグル１００は、第１前壁１１０と支持壁１１１と第１中壁１１２−１と第２中壁１１２−２と第２前壁１１３と第２下壁１１４とを含む。
【００３１】
第１前壁１１０は、概ねｘ方向に平行な２辺とｙ方向に平行な２辺とに囲まれた外形をもつ。第１前壁１１０は、ｙ２側の縁部からｙ２方向に突出した２つの下突起１３０と、ｙ１側の縁部からｙ１方向に突出した２つの上突起１３１と、ｙ１側の縁部からｙ２方向に窪んだ２つの上窪み１３２と、ｙ２側の縁部のｘ方向中央にあってｙ１方向に窪んだ第１前鼻受容部１３３とを含む。
【００３２】
第１前壁１１０は、ｚ方向に貫通した円形で同一形状の２つの第１のぞき穴１３４と、後述の第１前突起１４４−１と第２前突起１４４−２とを１つずつ固定するためのｚ方向に貫通した２つの第１前孔１３５をもつ。２つの第１のぞき穴１３４は、ｘ方向に離間している。２つの第１前孔１３５は、ｙ方向に細長い同一形状の穴であり、ｘ方向に互いに離間し、ｘ方向の中央付近で２つの第１のぞき穴１３４の間に位置する。
【００３３】
図８は、図７の展開状態のゴーグル１００のうち第１前壁１１０の一部と支持壁１１１と第１中壁１１２−１と第２中壁１１２−２とを示す部分平面図である。
【００３４】
図８に示すように支持壁１１１は、屈曲可能な境界（ｘ方向に平行）を介して第１前壁１１０からｙ１方向に連続して広がる。支持壁１１１は、第１前壁１１０のｙ１側縁部のｘ方向中央から延びている。支持壁１１１は、概ねｘ方向に平行な２辺とｙ方向に平行な２辺とに囲まれた外形をもち、ｙ２側の前縁部１３７とｙ１側の後縁部１３８とを含み、前縁部１３７と後縁部１３８との間でｘ方向に延びた２つの横縁部１３９をさらに含む。第１前壁１１０と支持壁１１１とは、支持壁１１１の前縁部１３７において屈曲可能に結合している。
【００３５】
第１中壁１１２−１は、屈曲可能な境界を介して支持壁１１１のｘ１側縁部からｘ１方向に連続して広がる。第１中壁１１２−１は概ね、ｘ方向に平行なｙ２側の第１前縁部１４０−１と、ｘ方向に平行なｙ１側の第１後縁部１４１−１と、ｙ方向に平行なｘ２側の第１上縁部１４２−１と、ｙ方向に平行なｘ１側の第１下縁部１４３−１とに囲まれた外形をもつ。支持壁１１１と第１中壁１１２−１とが、支持壁１１１のｘ１側の横縁部１３９において屈曲可能に結合している。
【００３６】
第１中壁１１２−１は、第１前縁部１４０−１からｙ２方向に突出した第１前突起１４４−１と、第１前縁部１４０−１からｙ１方向に窪んだ第１窪み１４５−１とを含む。第１前突起１４４−１の全体が、一方の上窪み１３２内に位置する。一方の上突起１３１の全体が、第１窪み１４５−１内に位置する。第１中壁１１２−１のｙ２側縁部は、第１前壁１１０のｙ１側縁部と概ね一致した位置にあり直線状である。
【００３７】
第２中壁１１２−２は、屈曲可能な境界を介して支持壁１１１のｘ２側縁部からｘ２方向に連続して広がる。第２中壁１１２−２は概ね、ｘ方向に平行なｙ２側の第２前縁部１４０−２と、ｘ方向に平行なｙ１側の第２後縁部１４１−２と、ｙ方向に平行なｘ１側の第２上縁部１４２−２と、ｙ方向に平行なｘ２側の第２下縁部１４３−２とに囲まれた外形をもつ。支持壁１１１と第２中壁１１２−２とが、支持壁１１１のｘ２側の横縁部１３９において屈曲可能に結合している。
【００３８】
第２中壁１１２−２は、第２前縁部１４０−２からｙ２方向に突出した第２前突起１４４−２と、第２前縁部１４０−２からｙ１方向に窪んだ第２窪み１４５−２とを含む。第２前突起１４４−２の全体が、他方の上窪み１３２内に位置する。他方の上突起１３１の全体が、第２窪み１４５−２内に位置する。第２中壁１１２−２のｙ２側縁部は、第１前壁１１０のｙ１側縁部と概ね一致した位置にあり直線状である。
【００３９】
図７に示すように第２前壁１１３は、屈曲可能な境界を介して結合した第１前壁１１０からｘ１方向に連続して広がる。第２前壁１１３は、概ねｘ方向に平行な２辺とｙ方向に平行な２辺とに囲まれた外形をもち、ｙ２側の縁部のｘ方向中央にあってｙ１方向に窪んだ第２前鼻受容部１４６を含む。第２前壁１１３は、ｚ方向に貫通した円形で同一形状の２つの第２のぞき穴１４７と、第１前突起１４４−１と第２前突起１４４−２とを１つずつ固定するためのｚ方向に貫通した第２前孔１４８とをもつ。２つの第２のぞき穴１４７は、ｘ方向に離間している。第２前孔１４８は、ｙ方向に細長い同一形状の穴であり、ｘ方向に互いに離間し、ｘ方向の中央付近で２つの第２のぞき穴１４７の間に位置する。
【００４０】
第２下壁１１４は、屈曲可能な境界を介して第２前壁１１３からｙ２方向に連続して広がる。第２下壁１１４は、概ねｘ方向に平行な２辺とｙ方向に平行な２辺とに囲まれた外形をもつが、ｙ２側の２つの角は丸い。第２下壁１１４は、ｙ１側の縁部のｘ方向中央にあってｙ２方向に窪んだ第２下鼻受容部１５０と、ｙ１側の縁部に沿ってｚ方向に貫通した２つの下孔１５１（切り込み）とを含む。２つの下孔１５１は、下突起１３０を１つずつ固定し、さらに、後述の２つの下片１２７を１つずつ固定するためのものである。
【００４１】
さらに、ゴーグル１００は、第１上壁１１５と第２上壁１１６と第１横壁１１７と第２横壁１１８と第１横片１１９と第２横片１２０とをさらに含む。
【００４２】
第１上壁１１５は、屈曲可能な境界を介して第２前壁１１３からｙ１方向に連続して広がる。第１上壁１１５は、概ねｘ方向に平行な２辺とｙ方向に平行な２辺とに囲まれた外形をもち、ｙ２側の縁部に沿ってｚ方向に貫通した２つの上孔１５２を含む。２つの上孔１５２は、２つの上突起１３１を１つずつ固定するためのものである。
【００４３】
第２上壁１１６は、屈曲可能な境界を介して第１上壁１１５からｙ１方向に連続して広がる。第２上壁１１６は、ｙ２側縁部がｘ方向に平行で、ｘ１側縁部とｘ２側縁部とがｙ方向に平行である。第２上壁１１６は、頭受容部１６０をもつ上突出部１６１を含む。上突出部１６１は、第２上壁１１６のうちｙ１側の領域である。頭受容部１６０は、第２上壁１１６のｙ１側縁部からｙ２方向に窪んでいる。頭受容部１６０は、ｘ方向中央に近いほどｙ２方向に大きく窪んでいる。
【００４４】
第１横壁１１７は、屈曲可能な境界を介して第２上壁１１６からｘ２方向に連続して広がる。第１横壁１１７は、ｙ２側縁部がｘ方向に平行で、ｘ１側縁部とｘ２側縁部とがｙ方向に平行である。第１横壁１１７は、第１横突出部１６２を含む。第１横突出部１６２は、第１横壁１１７のうちｙ１側の領域である。第１横壁１１７は、後述の第３横片１２３を固定するためのｚ方向に貫通してｘ方向に延びた第３横孔１６７（切り込み）をもつ。
【００４５】
第２横壁１１８は、屈曲可能な境界を介して第２上壁１１６からｘ１方向に連続して広がる。第２横壁１１８は、ｙ２側縁部がｘ方向に平行で、ｘ１側縁部とｘ２側縁部とがｙ方向に平行である。第２横壁１１８は、第２横突出部１６３を含む。第２横突出部１６３は、第２横壁１１８のうちｙ１側の領域である。第２横壁１１８のｙ２側縁部は、第２上壁１１６のｙ２側縁部を越えてｙ２側に延びている。第２横壁１１８のｙ２側縁部のうち、ｘ２側端部は、第１上壁１１５のｘ１側縁部からｘ１方向に離間している。
【００４６】
第１横片１１９は、屈曲可能な境界を介して第１横壁１１７からｘ２方向に連続して広がる。ｙ方向において第１横片１１９の幅は第１横壁１１７の幅より小さい。
【００４７】
第２横片１２０は、屈曲可能な境界を介して第２横壁１１８からｘ１方向に連続して広がる。ｙ方向において第２横片１２０の幅は第２横壁１１８の幅より小さい。
【００４８】
さらに、ゴーグル１００は、後壁１２１と第３横壁１２２と第３横片１２３と第１下壁１２４と第１横補助壁１２５と第２横補助壁１２６と２つの下片１２７とを含む。
【００４９】
後壁１２１は、屈曲可能な境界を介して第２横壁１１８からｙ２方向に連続して広がる。後壁１２１は、概ねｘ方向に平行な２辺とｙ方向に平行な２辺とに囲まれた外形をもつ。後壁１２１のｘ２側縁部は、第１上壁１１５と第２前壁１１３と第２下壁１１４とから、すなわち、第２上壁１１６と第２横壁１１８との境界の延長線からｘ１方向に離間している。
【００５０】
第３横壁１２２は、屈曲可能な境界を介して後壁１２１からｙ２方向に連続して広がる。第３横壁１２２は、概ねｘ方向に平行な２辺とｙ方向に平行な２辺とに囲まれた外形をもつが、ｙ２側の２つの角は丸い。
【００５１】
第３横片１２３は、屈曲可能な境界を介して第３横壁１２２からｙ２方向に連続して広がる。ｘ方向において第３横片１２３の幅は第３横壁１２２の幅より小さい。
【００５２】
第１下壁１２４は、屈曲可能な境界を介して後壁１２１からｘ１方向に連続して広がる。第１下壁１２４は、概ねｘ方向に平行な２辺とｙ方向に平行な２辺とに囲まれた外形をもち、ｘ１側の縁部のｙ方向中央にあってｘ２方向に窪んだ第１下鼻受容部１６４を含む。
【００５３】
第１横補助壁１２５は、屈曲可能な境界を介して第１下壁１２４からｙ２方向に連続して広がる。第１横補助壁１２５は、第１横片１１９を固定するためのｚ方向に貫通した第１横孔１６５（切り込み）をもつ。第２横補助壁１２６は、屈曲可能な境界を介して第１下壁１２４からｙ１方向に連続して広がる。第２横補助壁１２６は、第２横片１２０を固定するためのｚ方向に貫通した第２横孔１６６（切り込み）をもつ。２つの下片１２７は、屈曲可能な境界を介して第１下壁１２４からｘ１方向に連続して広がる。
【００５４】
（組み立て方法）
図９〜図１７は、ゴーグル１００の組み立て方法を説明するための図である。図９〜図１７では説明の便宜上、ゴーグル１００が一部の構成要素を除去して描かれるが、実際には連続した形態のまま組み立てられる。
【００５５】
図９は、第１前壁１１０と第２前壁１１３と支持壁１１１と第１中壁１１２−１と第２中壁１１２−２とを示す部分底面図である。まず、図９に示すように、第１前壁１１０と第２前壁１１３とが境界で折られることで、第１前壁１１０が、ＡＢ平面に平行に第２前壁１１３に重なるように折り畳まれた位置にくる。第１前壁１１０と第２前壁１１３とは概ね同じ大きさの外形をもつ。図９〜図１７では例として、縁部がＡ方向とＢ方向とに平行となるように第１前壁１１０が置かれる。第１前鼻受容部１３３はＢ２側に位置する。
【００５６】
図１０は、図９と同じ構成要素を示す部分背面図である。図１０に示すように、一方の第１のぞき穴１３４が一方の第２のぞき穴１４７に重なり、他方の第１のぞき穴１３４が他方の第２のぞき穴１４７に重なる。一方の第１前孔１３５が一方の第２前孔１４８に重なり、他方の第１前孔１３５が他方の第２前孔１４８に重なる。
【００５７】
次に、図９に示すように第１前壁１１０と支持壁１１１とが境界で９０度に折られ、支持壁１１１が第１前壁１１０のＢ１側縁部からＣ１方向に延びる。
【００５８】
次に、図１０に示すように、支持壁１１１と第１中壁１１２−１とが境界で９０度に折られ、第１中壁１１２−１が、支持壁１１１のＡ１側の横縁部１３９からＢ２方向に延びる。第１中壁１１２−１の第１前突起１４４−１（図９）が、Ａ１側の第１前孔１３５と第２前孔１４８とに挿入されて（図１０）、第２前壁１１３を越えてＣ２方向に突出する（図９）。
【００５９】
次に、図１０に示すように、支持壁１１１と第２中壁１１２−２とが境界で９０度に折られ、第２中壁１１２−２が、支持壁１１１のＡ２側の横縁部１３９からＢ２方向に延びる。第２中壁１１２−２の第２前突起１４４−２（図９）が、Ａ２側の第１前孔１３５と第２前孔１４８とに挿入されて（図１０）、第２前壁１１３を越えてＣ２方向に突出する（図９）。
【００６０】
図９に示すように、２つの中壁１１２は、ＢＣ平面に平行でＡ方向に離間して対向する。２つの中壁１１２は各々が、支持壁１１１と第１前壁１１０との両方に９０度傾斜して広がる。２つの中壁１１２の各前縁部１４０が、第１前壁１１０に接触している。他の例において、２つの中壁１１２の各前縁部１４０は、接触可能な位置（すなわち、常に接触している位置か、又はゴーグル１００がわずかに歪んだときに接触することができる位置）にあってよい。常に接触しているほうが中壁１１２が安定する。
【００６１】
第１前壁１１０は、第２前壁１１３と２つの中壁１１２との間に位置する。２つの中壁１１２の各後縁部１４１と、支持壁１１１の後縁部１３８とは、ＡＢ平面に平行な１つの平面に沿っている。
【００６２】
図１１は、第１前壁１１０と第２前壁１１３と第２中壁１１２−２と第１上壁１１５と第２上壁１１６とを示す部分右側面図である。次に、第２前壁１１３と第１上壁１１５とが境界で９０度に折られ、第１上壁１１５が第２前壁１１３のＢ１側縁部から中壁１１２の上縁部１４２に沿ってＣ１方向に延びる。Ｃ方向において第１上壁１１５のＣ１側縁部は、中壁１１２の後縁部１４１と概ね同じ位置にある。
【００６３】
次に、第１上壁１１５と第２上壁１１６とが境界で折られることで、第２上壁１１６が、ＣＡ平面に平行に第１上壁１１５に重なるように折り畳まれた位置にくる。図１２は、図１１と同じ状態において、図１１に示す構成要素に加えて支持壁１１１と第１中壁１１２−１とをさらに示す部分底面図である。第１上壁１１５と第２上壁１１６とのＡ方向の幅は、第１前壁１１０及び第２前壁１１３のＡ方向の幅に概ね等しい。第２上壁１１６は、第２前壁１１３を越えてＣ２方向に突出しており、突出した部分を上突出部１６１と呼ぶ。頭受容部１６０はＣ２方向に向く。
【００６４】
図１３は、図１０に示す構成要素に加えて第１上壁１１５と第２上壁１１６と第１横壁１１７と第２横壁１１８とをさらに示す部分背面図である。第２上壁１１６と第１横壁１１７とが境界で９０度に折られることで、第１横壁１１７が第２上壁１１６のＡ２側縁部からＢ２方向に延びる。次に、第２上壁１１６と第２横壁１１８とが境界で９０度に折られることで、第２横壁１１８が第２上壁１１６のＡ１側縁部からＢ２方向に延びる。
【００６５】
第１横壁１１７と第２横壁１１８とは、ＢＣ平面に平行に広がり、Ａ方向に離間して対向する。Ａ方向における第１横壁１１７と第２横壁１１８との間隔は、第１前壁１１０及び第２前壁１１３のＡ方向の幅に概ね等しい。Ｂ方向における第１横壁１１７と第２横壁１１８との長さは、第１前壁１１０及び第２前壁１１３のＢ方向の長さに概ね等しい。
【００６６】
図１４は、図１３と同じ構成要素を示す部分底面図である。第１横壁１１７は、第２前壁１１３よりＣ２方向に突出しており、突出した部分を第１横突出部１６２と呼ぶ。Ｃ方向において第１横壁１１７のＣ１側縁部は、第２上壁１１６のＣ１側縁部と同じ位置にある。第２横壁１１８は、第２前壁１１３よりＣ２方向に突出しており、突出した部分を第２横突出部１６３と呼ぶ。Ｃ方向において第２横壁１１８のＣ１側縁部は、第２上壁１１６のＣ１側縁部よりＣ１方向に突出している。
【００６７】
図１５は、図１４に示す構成要素に加えて、後壁１２１と第３横壁１２２と第３横片１２３とをさらに含む部分底面図である。次に、第２横壁１１８と後壁１２１とが境界で９０度に折られ、後壁１２１が、第２横壁１１８のＣ１側縁部からＡ１方向に延びる。Ａ方向において後壁１２１の幅は、第１横壁１１７と第２横壁１１８との間隔に概ね等しい。
【００６８】
第２前壁１１３と後壁１２１とが、Ｃ方向に離間して対向している。第１前壁１１０は、第２前壁１１３と後壁１２１との間において、第２前壁１１３に重なるように折り畳まれた位置にある。２つの中壁１１２の各後縁部１４１と第２中壁１１２−２の後縁部１３８とが、像表示装置１０１（図６）を保持するのに適した隙間を隔てて後壁１２１から離間している。
【００６９】
次に、後壁１２１と第３横壁１２２とが境界で９０度に折られ、第３横壁１２２が後壁１２１のＡ１側縁部からＣ２方向に延びてＡ１側で第１横壁１１７に重なる。第３横片１２３は、第３横壁１２２のＣ２側縁部からさらにＣ２方向に延びており、第１横壁１１７の第３横孔１６７（図７）を通してＡ１側からＡ２側に部分的に挿入された状態にある。
【００７０】
図１６は、第２横壁１１８を省略した部分右側面図である。次に、第２前壁１１３と第２下壁１１４とが境界で９０度に折られ、第２下壁１１４が、第２前壁１１３のＢ２側縁部からＣ１方向に延びる。第２下壁１１４のＣ１側縁部は、後壁１２１まで達しない。
【００７１】
次に、後壁１２１と第１下壁１２４とが境界で９０度に折られ、第１下壁１２４が、後壁１２１のＢ２側縁部からＣ２方向に延びる。第２上壁１１６と第１下壁１２４とが、Ｂ方向に離間して対向する。第１上壁１１５が、第２上壁１１６と第１下壁１２４との間において、第２上壁１１６に重なるように折り畳まれた位置にある。第２下壁１１４は、第１上壁１１５と第１下壁１２４との間において第１下壁１２４に重なるように折り畳まれた位置にある。
【００７２】
図１７は、第１前壁１１０と第２前壁１１３とを省略した部分正面図である。後壁１２１と第１下壁１２４とを折るときに、第１下壁１２４と第１横補助壁１２５とが境界で９０度に折られ、第１下壁１２４と第２横補助壁１２６とが境界で９０度に折られる。第１横補助壁１２５は、第１下壁１２４のＡ１側縁部からＢ１方向に延びてＡ２側で第１横壁１１７に重なる。第２横補助壁１２６は、第１下壁１２４のＡ２側縁部からＢ１方向に延びてＡ１側で第２横壁１１８に重なる。
【００７３】
次に、第１横壁１１７と第１横片１１９とが境界で９０度に折られ、第１横片１１９が第１横補助壁１２５の第１横孔１６５（図７）に挿入される。次に、第２横壁１１８と第２横片１２０とが境界で９０度に折られ、第２横片１２０が、第２横補助壁１２６の第２横孔１６６（図７）に挿入される。次に、第１下壁１２４と各下片１２７とが境界で９０度に折られ、２つの下片１２７が第２下壁１１４の２つの下孔１５１（図７）に１つずつ挿入される。
【００７４】
以上の工程により、図１〜図６に示す組み立て状態のゴーグル１００が完成する。また、逆の工程をたどることにより、図７に示す展開状態のゴーグル１００に戻すこともできる。
【００７５】
（組み立て状態）
図１５に示すように支持壁１１１は、第１前壁１１０から後壁１２１に向かって延びる。支持壁１１１の後縁部１３８は、Ｃ方向において隙間を隔てて後壁１２１から離間する。図１６に示すように、後壁１２１は、第１前壁１１０から離間して第１前壁１１０に対向する。２つの中壁１１２は、第１前壁１１０から後壁１２１に向かって延びる。２つの中壁１１２の後縁部１４１は、Ｃ方向において像表示装置１０１（図６）を保持するのに適した隙間を隔てて後壁１２１から離間する。
【００７６】
図１５に示すように、Ａ方向において第１横壁１１７と第２横壁１１８との間に位置する内部空間が規定される。内部空間は、Ｃ方向において第１前壁１１０と後壁１２１との間に位置する。図１６に示すように、内部空間は、Ｂ方向において第１上壁１１５と第１下壁１２４との間に位置する。
【００７７】
図１５に示すように、第１中壁１１２−１と第２中壁１１２−２と支持壁１１１とが、内部空間内に位置する。内部空間のうち、第１横壁１１７と第１中壁１１２−１との間の領域に、Ａ１側で重なり合う一方の第１のぞき穴１３４と一方の第２のぞき穴１４７と（図１）が連通する。内部空間のうち、第２横壁１１８と第２中壁１１２−２との間の領域に、Ａ２側で重なり合う他方の第１のぞき穴１３４と他方の第２のぞき穴１４７と（図１）が連通する。
【００７８】
図１に示すように、第１下壁１２４から第１上壁１１５に向かう方向に窪んだ互いに同一形状の第１前鼻受容部１３３と第２前鼻受容部１４６とがＣ方向に重なる。図３に示すように、第２前壁１１３から後壁１２１に向かう方向に窪んだ互いに同一形状の第１下鼻受容部１６４と第２下鼻受容部１５０とがＢ方向に重なる。図１に示すように第１前鼻受容部１３３と第２前鼻受容部１４６と第１下鼻受容部１６４と第２下鼻受容部１５０とは、内部空間と外部とをつなぐ連続した１つの穴を形成する。
【００７９】
図５に示すように、第１横突出部１６２は、第２前壁１１３を越えてＣ２方向に突出する。第１横突出部１６２の突出量は、第２上壁１１６から第１下壁１２４に向けて小さくなる。図６に示すように、第２横突出部１６３は、第２前壁１１３を越えてＣ２方向に突出する。第２横突出部１６３の突出量は、第２上壁１１６から第１下壁１２４に向けて小さくなる。図３に示すように、上突出部１６１と第１横突出部１６２とは境界においてｙ１方向に同程度突出している。上突出部１６１と第２横突出部１６３とは境界においてｙ１方向に同程度突出している。
【００８０】
（使用方法）
図２に示すように、Ｃ方向において第２上壁１１６と後壁１２１とが離間して、挿入口１７０が形成されている。使用者が挿入口１７０からゴーグル１００内に像表示装置１０１（図６）を挿入して、図１６に示す２つの中壁１１２の各後縁部１４１と後壁１２１との間の隙間に像表示装置１０１を（図６）を入れる。使用者は第１横壁１１７（図５）及び第２横壁１１８（図６）のうちのＢ２側縁部付近の領域を両手でつかむ。同時に、図１６に示す後壁１２１と第２前壁１１３とをＣ方向に指で挟む。その結果、２つの中壁１１２の各後縁部１４１と後壁１２１との間の隙間に像表示装置１０１（図６）が固定される。
【００８１】
使用者は、ゴーグル１００内の像表示装置１０１（図６）の（Ｃ２側を向いた）表示画面に仮想現実を描画した像を表示しながら、図１に示す第１のぞき穴１３４及び第２のぞき穴１４７から像を視る。中壁１１２により内部空間がＡ方向に２つに区切られているので、左右の目で異なる空間に生じされた像を見ることができる。
【００８２】
（まとめ）
本実施形態によれば、１枚のシート状になる展開状態をとるので、シート材を切り取るだけで容易に製造することができる。また、展開状態においてシート材用の印刷装置で印刷することができるため、立体の状態で製造する場合に比べて設計変更が容易で組立が簡単である。
【００８３】
本実施形態によれば、中壁１１２により、像表示装置１０１と第１のぞき穴１３４との距離を一定以上に隔てることができる。さらに、像表示装置１０１が目に向かって移動することを中壁１１２により容易に防ぐことができる。また、使用者が後壁１２１と第１前壁１１０とを近づけるように力を加えて持つことにより、像表示装置１０１を後壁１２１と中壁１１２との間に挟んで固定することができる。
【００８４】
本実施形態によれば、支持壁１１１が第１前壁１１０と中壁１１２との両方に傾斜しているので、中壁１１２単体の場合より安定して像表示装置１０１を固定することができる。第１前壁１１０と支持壁１１１とが直接結合し、支持壁１１１と中壁１１２とが直接結合しているので、分離したものを組み立てる場合に比べて第１前壁１１０と支持壁１１１と中壁１１２とがずれにくく、結果として安定して像表示装置１０１を固定することができる。
【００８５】
本実施形態によれば、組み立て状態において第１のぞき穴１３４と第２のぞき穴１４７とが重なるように第１前壁１１０と第２前壁１１３とが折り畳まれた状態をとるので、第１前壁１１０と第２前壁１１３との間で第１のぞき穴１３４及び第２のぞき穴１４７の位置にレンズを収容したときに、レンズの位置を安定させることができる。また、第１前壁１１０と第２前壁１１３とが屈曲可能に結合しているので、分離したものを組み立てる場合に比べて第１のぞき穴１３４と第２のぞき穴１４７との位置がずれにくい。また、第１前壁１１０が第２前壁１１３と中壁１１２との間に位置するので、使用者が後壁１２１と第１前壁１１０とを近づけるように力を加えて持つことにより、第１前壁１１０と第２前壁１１３との間に保持されたレンズがずれにくくなる。
【００８６】
本実施形態によれば、中壁１１２により内部空間が区切られるので、中壁１１２が無い場合に比べて左右の目に異なる像を提供しやすい。中壁１１２が、第１のぞき穴１３４及び第２のぞき穴１４７から像表示装置１０１までの距離の安定化と、像表示装置１０１の位置の安定化と、内部空間の区画とを含む複数の効果をもたらすので、別々の構成要素を用意する場合に比べて構成が簡単となる。
【００８７】
本実施形態によれば、第１横突出部１６２と第２横突出部１６３と上突出部１６１とを含むので、外部から第２のぞき穴１４７付近に来る光を減らして像を視認し易くすることができる。また、頭受容部１６０と第１前鼻受容部１３３と第２前鼻受容部１４６と第１下鼻受容部１６４と第２下鼻受容部１５０とを含むので、目を第２のぞき穴１４７に近づけやすい。また、第１横突出部１６２と第２横突出部１６３との突出量が、第２上壁１１６から第１下壁１２４に向けて小さくなるので、使用者が第１下壁１２４付近でゴーグル１００を手で持ちやすい。
【００８８】
本実施形態によれば、第１横片１１９と第２横片１２０と第３横片１２３と下片１２７と前突起１４４とが固定されるので、全体の形状を安定させることができ、また、展開状態と組み立て状態とを容易に遷移することができる。
【００８９】
＜第２実施形態＞
図１８は、第２実施形態の仮想現実視聴用ゴーグルキット２８０（以下、キットと呼ぶ）の正面図である。キット２８０は、第１実施形態のゴーグル１００と同様のゴーグル２００と、２つのレンズ２８１とを備える。図１８と図１とにおいて百の位のみが異なる符号は同様の構成要素を表す。レンズ２８１は、第１のぞき穴１３４と第２のぞき穴１４７との各ペアに重なる位置において、Ｃ方向において第１前壁１１０と第２前壁１１３との間に挟まれて固定される。固定方法は例えば接着剤による接着である。
【００９０】
（まとめ）
本実施形態によれば、レンズ２８１を使用することで、より多様な仮想現実の像を使用者に提供することができる。
【００９１】
＜第３実施形態＞
図１９は、第３実施形態の仮想現実視聴用ゴーグルキット３８０（以下、キットと呼ぶ）の展開図である。
キット３８０は、以下の２つの構成を除いて、第１実施形態と同じである。
（構成１）第１上壁１１５及び第２上壁１１６に、それぞれ第１孔１３５及び第２孔１４８が形成されており、中壁１１２の一端が、第１孔１３５及び第２孔１４８に挿通して結合される。
（構成２）後壁１２１の両端部付近に、外側から指で像表示装置１０１に触れて位置合わせするための操作孔を形成するための操作孔形成部３５１が形成されている。
【００９２】
キット３８０によれば、中壁保持のための孔を前壁ではなく、上壁に形成するため、前壁に印刷などでデザインを描くことができる。
第１又は第２実施形態において、上記（構成２）を用いてもよい。
【００９３】
本発明は上述した実施形態には限定されない。すなわち、当業者は、本発明の技術的範囲又はその均等の範囲内において、上述した実施形態の構成要素に関し、様々な変更、コンビネーション、サブコンビネーション、並びに代替を行ってもよい。
例えば、上述した実施形態では、それぞれ２つの第１、第２のぞき穴を設ける場合を例示したがそれぞれ一つの第１、第２のぞき穴を設けてもよい。
【産業上の利用可能性】
【００９４】
本発明は、像を視聴する様々なゴーグルに適用可能である。
【符号の説明】
【００９５】
１００…ゴーグル、１０１…像表示装置、１１０…第１前壁、１１１…支持壁、
１１２…中壁、１１３…第２前壁、１１４…第２下壁、１１５…第１上壁、
１１６…第２上壁、１１７…第１横壁、１１８…第２横壁、１１９…第１横片、
１２０…第２横片、１２１…後壁、１２２…第３横壁、１２３…第３横片、
１２４…第１下壁、１２５…第１横補助壁、１２６…第２横補助壁、１２７…下片、
１３０…下突起、１３１…上突起、１３２…上窪み、１３３…第１前鼻受容部、
１３４…第１のぞき穴、１３５…第１前孔、第１孔、１３７…前縁部、１３８…後縁部、
１３９…横縁部、１４０…前縁部、１４１…後縁部、１４２…上縁部、１４３…下縁部、
１４４…前突起、１４５…窪み、１４６…第２前鼻受容部、１４７…第２のぞき穴、
１４８…第２前孔、第２孔、１５０…第２下鼻受容部、１５１…下孔、１５２…上孔、
１６０…頭受容部、１６１…上突出部、１６２…第１横突出部、１６３…第２横突出部、
１６４…第１下鼻受容部、１６５…第１横孔、１６６…第２横孔、１６７…第３横孔、
１７０…挿入口、２８０…仮想現実視聴用ゴーグルキット、２８１…レンズ、３５１…操作孔形成部
【図１】
2020184709.tif 000003
【図２】
2020184709.tif 000004
【図３】
2020184709.tif 000005
【図４】
2020184709.tif 000006
【図５】
2020184709.tif 000007
【図６】
2020184709.tif 000008
【図７】
2020184709.tif 000009
【図８】
2020184709.tif 000010
【図９】
2020184709.tif 000011
【図１０】
2020184709.tif 000012
【図１１】
2020184709.tif 000013
【図１２】
2020184709.tif 000014
【図１３】
2020184709.tif 000015
【図１４】
2020184709.tif 000016
【図１５】
2020184709.tif 000017
【図１６】
2020184709.tif 000018
【図１７】
2020184709.tif 000019
【図１８】
2020184709.tif 000020
【図１９】
2020184709.tif 000021